(57)【要約】【課題】  防水性及び放熱性に優れ、ＬＥＤ照明ユニットとして取り替えも容易な照明器具と、この照明器具を連設した長手方向で光むらを生じない照明装置と、を提供する。【解決手段】  表面にＬＥＤ１が突設され背面に放熱体２が突設された基板３と、背面が開口部４として形成された透明で略箱型のカバーケース５と、を備え、カバーケース５内に基板３を収容すると共に透明な充填材７を注入充填し、充填材７から放熱体２が背方へと突出した状態で同充填材７を硬化させることで、基板３とカバーケース５とを固着一体化してＬＥＤ照明ユニットＡを形成し、熱伝良導材料製の断面略Ｈ型材でなる照明器具外殻体13のＨ型の一方凹所Ｓ１内に前記ＬＥＤ照明ユニットＡを収容し、同照明器具外殻体13のＨ型の中片部18に前記背方へと突出した放熱体２を接合固定してなる。【選択図】図１
2005302484.tif 000002
【特許請求の範囲】
【請求項１】
表面にＬＥＤが突設されると共に背面に放熱体が突設された基板と、背面が開口部として形成された透明で略箱型のカバーケースと、を備え、カバーケース内に基板を収容すると共に透明な充填材を注入充填し、充填材から放熱体が背方へと突出した状態で同充填材を硬化させることで、基板とカバーケースとを固着一体化してＬＥＤ照明ユニットを形成し、熱伝良導材料製の断面略Ｈ型材でなる照明器具外殻体のＨ型の一方凹所内に前記ＬＥＤ照明ユニットを収容し、同照明器具外殻体のＨ型の中片部に前記背方へと突出した放熱体を接合固定してなる照明器具。
【請求項２】
照明器具外殻体の長手方向略全長においてその一方凹所内に適合収容されるようＬＥＤ照明ユニットのカバーケースを略矩形箱型に形成し、同カバーケースに対応するよう基板を矩形状に形成してこの基板の表面には複数のＬＥＤを長手方向に配列して突設したことを特徴とする請求項１記載の照明器具。
【請求項３】
照明器具外殻体のＨ型の一方凹所における両側片部の端縁間開口とカバーケースの表面壁部との位置を略合致させたことを特徴とする請求項２記載の照明器具。
【請求項４】
請求項２又は３記載の照明器具を長手方向に連設し、ＬＥＤ照明ユニットの各ＬＥＤの長手方向における間隔と隣接する両ＬＥＤ照明ユニットの最端に位置するＬＥＤの間隔とを略合致させたことを特徴とする照明装置。
【発明の詳細な説明】
【技術分野】
【０００１】
本願発明は、ＬＥＤ照明ユニットを照明器具外殻体に結合固定してなる照明器具及び同照明器具を長手方向に連設してなる照明装置に関するものである。
【背景技術】
【０００２】
従来から、図８に示す如く、表面にＬＥＤ１が突設された基板３を照明器具外殻体13に結合固定してなる照明器具は知られている（特許文献１：特開２００３−９２０２２号公報参照）。この場合、照明器具外殻体13はアルミニウムのような熱伝良導材料製の断面略Ｈ型材でなり、両側片部17とその中程間に架橋される中片部18とで構成され、同中片部18に基板３が取付ネジ34によって結合固定されている。そして、照明器具外殻体13のＨ型の一方凹所Ｓ１内には前記基板３が収容されていて、同一方凹所Ｓ１における両側片部17の端縁間開口は透明なカバー35が装着されて閉塞されている。また、照明器具外殻体13のＨ型の他方凹所Ｓ２内では、中片部18からＴ字突条36が一体に突設されており、このＴ字突条36の下面には点灯回路部37が固設されている。
【０００３】
したがって、前記照明器具においては、基板３の表面に突設された複数のＬＥＤ１が点灯すると、その光はカバー35を通し照射されて良好な照明が得られる。そして、ＬＥＤ１の点灯で発生した熱は基板３を介し照明器具外殻体13へと伝導して放熱され、ＬＥＤ１を低温状態に保持することが可能でその寿命を伸ばして長期にわたり良好な照明を得ることができるとされている。しかも、この場合、照明器具外殻体13の中片部18が厚肉に形成され、同中片部18にはＴ字突条36が一体に突設されていて、放熱機能が十分に発揮されるものである。
【特許文献１】特開２００３−９２０２２号公報
【発明の開示】
【発明が解決しようとする課題】
【０００４】
しかしながら、上記従来の照明器具にあっては、ＬＥＤ１を有する基板３がカバー35で閉塞された照明器具外殻体13のＨ型の一方凹所Ｓ１内に収容されてはいるものの、同カバー35を装着するだけでは防水性能が十分でなく、風雨に曝される屋外照明等に用いられた場合には問題を生じるものであった。そこで、照明器具外殻体13のＨ型の一方凹所Ｓ１内に透明な充填材を注入充填し、同充填材内にＬＥＤ１を有する基板３を埋設して密封することも考えられる。しかしながら、この場合には、充填材を注入充填した後にカバー35を装着することになり、同カバー35と充填材との間に気泡が発生して残存し易く、外観や照明機能が損なわれてしまうという問題が新たに発生するものであった。
【０００５】
また、上記従来の照明器具は、照明器具外殻体13に対しＬＥＤ１を有する基板３を直接に結合固定してその表面側にカバー35を装着するものであるため、同基板３を取り替えることが困難で、この基板３だけを他の照明器具に用いることもできないものであった。特に、前記の如く、防水性を向上させるために、照明器具外殻体13のＨ型の一方凹所Ｓ１内に透明な充填材を注入充填し、この充填材内にＬＥＤ１を有する基板３を埋設一体化して密封した場合には、照明器具外殻体13に対して同基板３を取り替えることができなくなってしまうものであった。
【０００６】
本願発明は、上記従来の技術に鑑みて発明されたもので、その課題は、防水性及び放熱性に優れ、ＬＥＤ照明ユニットとして取り替えも容易な照明器具と、この照明器具を連設した長手方向で光むらを生じない照明装置と、を提供することである。
【課題を解決するための手段】
【０００７】
上記課題を解決するため、本願発明の照明器具は、表面にＬＥＤが突設されると共に背面に放熱体が突設された基板と、背面が開口部として形成された透明で略箱型のカバーケースと、を備え、カバーケース内に基板を収容すると共に透明な充填材を注入充填し、充填材から放熱体が背方へと突出した状態で同充填材を硬化させることで、基板とカバーケースとを固着一体化してＬＥＤ照明ユニットを形成し、熱伝良導材料製の断面略Ｈ型材でなる照明器具外殻体のＨ型の一方凹所内に前記ＬＥＤ照明ユニットを収容し、同照明器具外殻体のＨ型の中片部に前記背方へと突出した放熱体を接合固定してなる。
【０００８】
また、本願発明の照明装置は、前記照明器具外殻体の長手方向略全長においてその一方凹所内に適合収容されるようＬＥＤ照明ユニットのカバーケースを略矩形箱型に形成し、同カバーケースに対応するよう基板を矩形状に形成してこの基板の表面には複数のＬＥＤを長手方向に配列して突設し、このように形成した前記照明器具を長手方向に連設し、ＬＥＤ照明ユニットの各ＬＥＤの長手方向における間隔と隣接する両ＬＥＤ照明ユニットの最端に位置するＬＥＤの間隔とを略合致させたものである。
【発明の効果】
【０００９】
本願発明の照明器具においては、表面にＬＥＤが突設された基板と、背面が開口部として形成された透明で略箱型のカバーケースと、を備え、カバーケース内に基板を収容すると共に透明な充填材を注入充填してこの充填材を硬化させることで、基板とカバーケースとを固着一体化してＬＥＤ照明ユニットを形成しているため、このＬＥＤ照明ユニットでは、基板と共にＬＥＤがカバーケース内の充填材に埋設されて密封され、十分な防水性が確保される。また、この場合、カバーケースと基板との間で充填材による気泡が発生し難くて、ＬＥＤが点灯するとその光は透明な充填材及びカバーケースを通し照射されて良好な照明を得ることができる。
【００１０】
しかも、基板の背面に放熱体を突設し、この放熱体が充填材から背方へと突出した状態とされるため、ＬＥＤの点灯で発生した熱は基板を介し同放熱体により外部へと支障なく放熱されて十分な放熱性が確保され、ＬＥＤを低温状態に保持することが可能でその寿命を伸ばして長期にわたり良好な照明を得ることができる。このように、独立したＬＥＤ照明ユニットとして一体化形成しているため、同ＬＥＤ照明ユニットを照明器具外殻体に取り付けたり取り外したりすることが可能となってその取り替えは容易化され、異なる種類の照明器具に対して共用化することも可能となる。そして、ＬＥＤの点灯で発生した熱は基板及び放熱体を介し照明器具外殻体へと伝導して放熱され、より十分な放熱性が確保される。
【００１１】
また、本願発明の照明装置においては、前記ＬＥＤ照明ユニットのカバーケースが略矩形箱型に形成されて照明器具外殻体の長手方向略全長にわたりその一方凹所内に適合収容され、基板の表面で長手方向に配列して突設された複数のＬＥＤによって光が均等に照射されるものとなる。そして、このように形成された照明器具を長手方向に連設しているため、同照明器具の連設数を適宜設定して所望の全長寸法となるライン照明として外観良好な照明装置を簡単に得ることができる。しかも、この場合、ＬＥＤ照明ユニットの各ＬＥＤの長手方向における間隔と隣接する両ＬＥＤ照明ユニットの最端に位置するＬＥＤの間隔とを略合致させているため、連設される複数の照明器具において、その連設継目部位を含めて各ＬＥＤが長手方向で略等間隔に配設され、同連設継目部位における明暗の違和感がなくなってライン照明としての光むらが防止される。
【発明を実施するための最良の形態】
【００１２】
図１〜６は、本願発明の請求項１〜４の全てに対応した一実施形態である照明器具Ｂ及びこれを用いた照明装置を示している。この実施形態の照明器具Ｂは、図１〜３に示す如く、表面にＬＥＤ１が突設されると共に背面に放熱体２が突設された基板３と、背面が開口部４として形成された透明で略箱型のカバーケース５と、を備え、カバーケース５内に基板３を収容すると共に透明な充填材７を注入充填し、充填材７から放熱体２が背方へと突出した状態で同充填材７を硬化させることで、基板３とカバーケース５とを固着一体化してＬＥＤ照明ユニットＡを形成し、熱伝良導材料製の断面略Ｈ型材でなる照明器具外殻体13のＨ型の一方凹所Ｓ１内に前記ＬＥＤ照明ユニットＡを収容し、同照明器具外殻体13のＨ型の中片部18に前記背方へと突出した放熱体２を接合固定してなるものである。
【００１３】
また、この実施形態の照明器具Ｂでは、照明器具外殻体13の長手方向略全長においてその一方凹所Ｓ１内に適合収容されるようＬＥＤ照明ユニットＡのカバーケース５を略矩形箱型に形成し、同カバーケース５に対応するよう基板３を矩形状に形成してこの基板３の表面には複数のＬＥＤ１を長手方向に配列して突設している。この場合、照明器具外殻体13のＨ型の一方凹所Ｓ１における両側片部17の端縁間開口とカバーケース５の表面壁部６との位置を略合致させてもいる。また、この実施形態の照明装置は、図２（ａ）に示す如く、前記照明器具Ｂを長手方向に連設し、ＬＥＤ照明ユニットＡの各ＬＥＤ１の長手方向における間隔Ｌ１と隣接する両ＬＥＤ照明ユニットＡの最端に位置するＬＥＤ１の間隔Ｌ２とを略合致させたものである。
【００１４】
以下、この実施形態の照明器具Ｂ及びこれを用いた照明装置をより具体的詳細に説明する。図４に示す如く、この実施形態におけるＬＥＤ照明ユニットＡにおいて、カバーケース５は背面が開口部４となる断面略コ字型でその長手方向の両端部が閉塞された略矩形箱型であり、透明なアクリル樹脂にて一体に形成されたものである。カバーケース５はアクリル樹脂の他、透光性を有するポリカーボネート等の合成樹脂やガラス等で形成されてもよい。また、この場合、カバーケース５は表面壁部６とその両側に連設される両側面壁部８とで断面略コ字型となっており、背面全体が矩形状に開口して開口部４として形成されている。そして、カバーケース５の表面壁部６と両側面壁部８との間の内隅部分には、長手方向に間隔をあけて複数の凸起10が一体に突設されている。
【００１５】
基板３はアルミニウム等の熱伝導率の高い帯状金属板でなり、前記カバーケース５の開口部４よりも若干小さな矩形状に形成されている。基板３の表面にはＬＥＤ１が二列にして配設されており、同裏面にはアルミニウム等の熱伝導率の高い金属でなる放熱体２が突設されている。放熱体２は断面略Ｔ字状に形成され、その横片部2aが薄肉に縦片部2bが同横片部2aよりも厚肉とされている。そして、放熱体２の横片部2aの表面全体が基板３の裏面に広い面積にわたって密着接合され、この状態で基板３の表側から挿入螺合される結合ネジ15によってこの基板３に同放熱体２は結合一体化されている。また、放熱体２の縦片部2bの背方端面11は平坦面として巾広に形成されており、同背方端面11に後述する照明器具外殻体13に取り付けるための取付用のネジ穴12が長手方向に複数穿設されている。
【００１６】
そして、前記カバーケース５内にその開口部４から基板３が収容され、その後、同カバーケース５内に充填材７が充填され、この充填材７が硬化されることによって、基板３とカバーケース５とは固着一体化される。その際、基板３の両側縁部分はカバーケース５の前記凸起10上に載置支持され、このカバーケース５の表面壁部６と同基板３との間にスペースが設けられ、このスペースはＬＥＤ１と同表面壁部６との間にも連設されている。この支持状態で、カバーケース５の表面壁部６とＬＥＤ１との間にはａ寸法の間隙が確保され、放熱体２の背方端面11は同カバーケース５の開口部４からｂ寸法だけ突出して、同背方端面11の両側にｃ寸法の巾で開口部４が残存開口される。
【００１７】
なお、ここでは、ａ寸法が１mm以上で好ましくは１．５mm程度に設定され、ｂ寸法が０mmより大きく（突出していればよい）で好ましくは１mm程度に設定され、ｃ寸法が３mm以上で好ましくは５mm程度に設定されている。また、放熱体２の横片部2aの両側部分及び基板３の両側縁部分上に充填材７が注入充填されされることで、同放熱体２及び基板３は前記凸起10上に押圧支持されてカバーケース５内の所定の位置で確実に支持され、同充填材７が硬化されることで強固に固着一体化される。
【００１８】
この場合、図５、６に示す如く、前記放熱体２の背方端面11の両側に残存するｃ寸法の開口部４はカバーケース５の長手方向にわたって開口し、同残存開口した開口部４から充填材７がノズル16によって長手方向に沿い均等に注入充填される。その際、カバーケース５の開口部４よりも若干小さく基板３が形成されていることによって、この基板３の両側縁と同カバーケース５の両側面壁部８の内壁面との間に間隙が形成され、この間隙を通して充填材７は前記スペースへと注入充填される。その際、基板３の両側縁にはその長手方向に沿って断続的に複数の切欠状部９が形成されおり、各切欠状部９をも通じて充填材７はスペースへとスムーズ且つ均等に注入充填され、同充填材７を注入充填する製造時間の短縮化が図られてコスト低減にも繋がる。
【００１９】
また、この場合、ＬＥＤ１とカバーケース５の表面壁部６とが前記ａ寸法だけ離されていることで、この両者間の隙間に充填材７は回り込み易くて同隙間に空気が残存せず、良好な照明が得られることとなる。すなわち、ＬＥＤ１とカバーケース５の表面壁部６とが接触していると、この両者間のわずかな隙間には充填材７が回り込み難くなって同わずかな隙間に空気が残存し、充填材７は高温で硬化されるものであるため、高温時に同残存した空気が膨張し硬化した際に気泡となり、この気泡によって外観が損なわれると共に良好な照明が得られなくなるものであるが、これが、ＬＥＤ１とカバーケース５の表面壁部６とが離されていることで防止される。
【００２０】
しかも、前記気泡が発生した場合には、この気泡内に湿気が残っていると、ＬＥＤ１の消灯点滅による熱変化によっては、結露を生じて同ＬＥＤ１の絶縁が損なわれることもあり、このような不都合も、前記の如く、ＬＥＤ１とカバーケース５の表面壁部６とが離されていることで生じなくなって品質も向上される。更に、放熱体２の背方端面11がカバーケース５の開口部４から前記ｂ寸法だけ突出されていることにより、充填材７は同背方端面11に付着し難く、この背方端面11に穿設されたネジ穴12にも同充填材７が入り込まなくなって、後述の照明器具外殻体13は同背方端面11に密着して接合され、同ネジ穴12に螺入される固定ネジ14によって支障なく結合固定される。また、前記充填材７は透明なシリコン系樹脂で熱伝導率も高く、同充填材７からも効率良く放熱されることとなる。
【００２１】
図１〜３は、前記ＬＥＤ照明ユニットＡが取り付けられた照明器具Ｂ及びこの照明装置Ｂを連設してなる照明装置を示す。この場合、図１に示す如く、照明器具外殻体13はアルミニウム等の熱伝導率の高い断面略Ｈ型材でなり、両側片部17とその中程間に架橋される中片部18とで構成されている。そして、ＬＥＤ照明ユニットＡは照明器具外殻体13のＨ型の一方凹所Ｓ１内に収容されており、同照明器具外殻体13のＨ型の中片部18に前記放熱体２が接合固定されている。その際、放熱体２の背方端面11が照明器具外殻体13の中片部18に密着接合され、照明器具外殻体13のＨ型の他方凹所Ｓ２から同中片部18を貫通して同背方端面11のネジ穴12に挿入螺合される固定ネジ14により結合固定される。なお、照明器具外殻体13となる断面略Ｈ型材は、その断面外形寸法が３０mm×３０mm未満の細形断面とされるもので、ここでは、２７mm×２７mmとされており、照明器具Ｂの取り扱いや使い勝手が良好となる。
【００２２】
更に、この場合、照明器具外殻体13のＨ型の他方凹所Ｓ２内にＬＥＤ１を点灯させるためのＡＣ電源19が収容固定されており、このＡＣ電源19は前記固定ネジ14を用いて中片部18に取着固定されてもよい。このように、ＡＣ電源19が収容固定されていると、別途にＤＣ電源を設ける必要がないので、電気工事のコスト低減を図ることができる。また、照明器具外殻体13の長手方向略全長においてその一方凹所Ｓ１内に適合収容されるようＬＥＤ照明ユニットＡのカバーケース５が略矩形箱型に形成されており、同カバーケース５に対応するよう基板３が矩形状に形成されてこの基板３の表面には複数のＬＥＤ１が長手方向に配列して突設されている。この場合、照明器具外殻体13のＨ型の一方凹所Ｓ１における両側片部17の端縁間開口とカバーケース５の表面壁部６との位置が略合致されて、この表面壁部６は同一方凹所Ｓ１内にその端縁間開口と略面一状で納まっている。
【００２３】
そして、図２、３に示す如く、前記照明器具Ｂが長手方向に複数連設されて照明装置となり、この照明装置は防水型で間接照明や建物の壁面等に設置されるライン照明として用いられ、屋外にも施工が可能なものである。この場合、図２（ａ）に示す如く、ＬＥＤ照明ユニットＡの各ＬＥＤ１の長手方向における間隔Ｌ１と隣接する両ＬＥＤ照明ユニットＡの最端に位置するＬＥＤ１の間隔Ｌ２とが略合致され、照明装置全体において各ＬＥＤ１の間隔が長手方向で略等間隔とされる。なお、図３に示す如く、各照明器具Ｂでは、照明器具外殻体13のＨ型の一方凹所Ｓ１内にＬＥＤ照明ユニットＡを収容するに際し、このＬＥＤ照明ユニットＡの長手方向の両端部分に同照明器具外殻体13のＨ型の中片部18との間で凹段部20が配設形成されており、各凹段部20では同中片部18の端縁に略半円状の切欠半孔21が形成されている。
【００２４】
また、図２、図３に示す如く、各照明器具Ｂを連設して設置面22に取り付けるに際しては、同設置面22に取着固定される取付ベース23を介して取り付けられる。この場合、取付ベース23は表方に開口した断面略コ字型で熱伝良導材料でなり、その底板部分に背方へ突出屈曲した略円形状の取付部24が形成されており、同取付部24において取着ネジ25が貫通されて設置面22に取着固定される。取付ベース23は照明器具Ｂと略同一長さ寸法に形成されており、相互に連結具26を介して接続される。連結具26は略ハット型の金具で、その両側突片部分が隣接する両取付ベース23の端部底板部分にビス27にて固着され、同連結具26の頂片部分には結合用ネジ孔28が穿設されている。ここでは、前記背方へ突出した取付部24の存在により、取付ベース23の底板部分と設置面22との間に間隙が形成され、同間隙を空気が流通することで放熱作用が促進向上される。
【００２５】
更に、前記連結具26において、照明器具Ｂの端部同士も接続固定される。ここでは、照明器具外殻体13のＨ型の他方凹所Ｓ２が前記取付ベース23及び連結具26の外側に嵌合されて、同取付ベース23及び連結具26は体裁良く納められ、各照明器具Ｂが位置決めされてその端部同士はずれなく直線的に連続するよう接続される。そして、前記凹段部20の略半円状の切欠半孔21が相互に突き合わされ、同両切欠半孔21でなる円形孔に挿通される接続ネジ31が前記連結具26の結合用ネジ孔28に螺合されることにより、照明器具Ｂの端部同士は接続固定される。
【００２６】
この場合、図３に示す如く、隣接する両凹段部20上の間に固定用座金29を架設状に載置し、この固定用座金29に穿設される透孔30に接続ネジ31を挿通して螺合させることが好ましい。すなわち、両切欠半孔21でなる円形孔に接続ネジ31が直接挿入されると、その頭部は同円形孔から外れ易いものであるが、同固定用座金29と前記連結具26の頂片部分とで照明器具外殻体13の中片部18の端縁部分が広範囲において挟持されるように接続固定することにより、照明器具Ｂの端部同士を安定して確実に連設することができる。また、隣接する両凹段部20の正面視形状に適合する矩形状に固定用座金29を形成しており、この固定用座金29は同両凹段部20内に嵌合されて位置合わせ作用をもなす。
【００２７】
なお、図２に示す如く、照明装置の長手方向の最端（図２では左端）に配置される照明器具Ｂでは、前記連結具26に代えて端部用固定具32が用いられており、この端部用固定具32と接続ネジ31とによって同照明器具Ｂの端部を取付ベース23に結合固定している。そして、前記照明器具Ｂの照明器具外殻体13の開放した端部は、端部キャップ33が嵌着されることによって閉塞されている。
【００２８】
したがって、この実施形態の照明器具のＬＥＤ照明ユニットＡにおいては、カバーケース５内に開口部４から基板３を収容してこの基板３とカバーケース５の表面壁部６との間にスペースを設けた状態で同基板３を支持し、開口部４からスペースへとカバーケース５内に透明な充填材７を注入充填してこの充填材７を硬化させることにより、基板３とカバーケース５とを固着一体化しているため、基板３と共にＬＥＤ１がカバーケース５内の充填材７に埋設されて密封され、十分な防水性が確保される。また、この場合、カバーケース５の表面壁部６を主とする内壁面と基板３との間において充填材７による気泡が発生し難くいため、ＬＥＤ１が点灯するとその光は透明な充填材７及びカバーケース５を通し支障なく照射されて良好な照明を得ることができる。
【００２９】
しかも、前記ＬＥＤ照明ユニットＡにおいては、基板３の背面に放熱体２を突設し、この放熱体２が充填材７から背方へと突出した状態とされるため、ＬＥＤ１の点灯で発生した熱は基板３を介し同放熱体２により外部へと支障なく放熱されて十分な放熱性が確保され、ＬＥＤ１を低温状態に保持することが可能でその寿命を伸ばして長期にわたり良好な照明を得ることができる。このように、前記ＬＥＤ照明ユニットＡは独立したユニットとして一体化されるものであるため、同ＬＥＤ照明ユニットＡを照明器具外殻体13に取り付けたり取り外したりすることが可能となってその取り替えは容易化され、異なる種類の照明器具に対して共用化することも可能となる。
【００３０】
また、前記ＬＥＤ照明ユニットＡにおいては、カバーケース５を長尺な略矩形箱型に形成してその開口部４を矩形状となし、この矩形状よりも若干小さな矩形状に基板３を形成してこの基板３の表面には複数のＬＥＤ１を長手方向に配列して突設し、同基板３の両側縁とカバーケース５の両側面壁部８の内壁面との間隙を通して充填材７を前記スペースへと注入充填するものであるため、長尺なＬＥＤ照明ユニットＡであってもその長手方向にわたり均等にまんべんなく充填材７が注入充填されて、同長手方向で複数のＬＥＤ１によって光が均等に照射されるものとなる。更に、この場合、充填材７を通すための複数の切欠状部９を基板３の両側縁にその長手方向に沿って断続的に形成しているので、前記間隙からだけでなく同複数の切欠状部９をも通じて充填材７は前記スペースへとスムーズ且つ均等に注入充填され、気泡発生がより確実に防止されると共に、同充填材７を注入充填する製造時間の短縮化も図られてコスト低減に繋がる。
【００３１】
また、前記ＬＥＤ照明ユニットＡにおいては、カバーケース５の内壁面に複数の凸起10を相互に間隔をあけて配設し、ＬＥＤ１とカバーケース５の表面壁部６との間に前記スペースを設けた状態で基板３を同凸起10によって支持するものであるため、同スペースが確保されて各凸起10の間隔を通し充填材７が支障なく充填される。この場合、凸起10も透明な樹脂でカバーケース５と一体に形成されており、ＬＥＤ１からの光が各凸起10を透光し支障なく照射されて外観には影響を及ぼすことがない。
【００３２】
また、前記ＬＥＤ照明ユニットＡにおいては、充填材７から背方へと突出する放熱体２の背方端面11に取付用のネジ穴12を設けているので、このネジ穴12に固定ネジ14を螺入して、照明器具外殻体13に簡単且つ確実に結合固定することができる。しかも、この場合においては、放熱体２の背方端面11をカバーケース５の背方の開口部４から突出させているので、充填材７を注入充填する際、同充填材７が前記ネジ穴12に入り込むことはなく、照明器具外殻体13の中片部18が同背方端面11に密着して接合され、同ネジ穴12に螺入される固定ネジ14によって支障なく結合固定される。
【００３３】
また、この実施形態の照明器具Ｂにおいては、前記ＬＥＤ照明ユニットＡを熱伝良導材料でなる照明器具外殻体13に結合固定してなるものであり、この場合、放熱体２の背方端面11を断面略Ｈ型材でなる照明器具外殻体13の中片部18に密着接合させ、同背方端面11に設けられたネジ穴12に螺入される固定ネジ14によって結合固定しているため、同固定ネジ14を着脱することによりＬＥＤ照明ユニットＡの取り替えを容易に行うことができる。しかも、この場合、ＬＥＤ１の点灯で発生した熱は基板３及び放熱体２を介し照明器具外殻体13へと伝導して放熱され、より十分な放熱性が確保される。
【００３４】
更に、前記ＬＥＤ照明ユニットＡは照明器具外殻体13のＨ型の一方凹所Ｓ１内に保護されるように収容されており、この場合、同照明器具外殻体13の長手方向略全長においてその一方凹所Ｓ１に適合収容されるようＬＥＤ照明ユニットＡのカバーケース５が略矩形箱型に形成されているため、同ＬＥＤ照明ユニットＡはライン照明用として体裁良くコンパクトに納まる。また、その際、照明器具外殻体13のＨ型の一方凹所Ｓ１における両側片部17の端縁間開口とカバーケース５の表面壁部６との位置が略合致されるため、納まり外観は良好で、カバーケース５も確実に保護されてその破損が防止される。
【００３５】
また、この実施形態の照明装置においては、前記照明器具Ｂを長手方向に連設したものであるため、同照明器具Ｂの連設数を適宜設定して所望の全長寸法となるライン照明として外観良好な照明装置を簡単に得ることができる。しかも、この場合に、ＬＥＤ照明ユニットＡの各ＬＥＤ１の長手方向における間隔Ｌ１と隣接する両ＬＥＤ照明ユニットＡの最端に位置するＬＥＤ１の間隔Ｌ２とを略合致させているため、連設される複数の照明器具Ｂにおいて、その連設継目部位を含めて各ＬＥＤ１が長手方向で略等間隔に配設されることになり、同連設継目部位における明暗の違和感がなくなってライン照明としての光むらが防止される。そして、この実施形態の照明装置では、照明器具Ｂを直線的に設置施工できるものであり、建築物の外壁面や橋梁等の屋外で振動や風雨に曝される施工部位にあっても、防水性を確保した状態で安全に設置固定することができる。
【００３６】
図７は、本願発明の請求項１〜３に対応した別の実施形態である照明器具Ｂ１、Ｂ２及びこれを用いた照明装置を示している。この実施形態の照明器具Ｂ１、Ｂ２は長手方向に連設されておらず、略Ｌ状となるように両者の端部が直交方向で接合されて連設されている。そして、この場合に、ＬＥＤ照明ユニットＡ１、Ａ２の各ＬＥＤ１の長手方向における間隔Ｌ１と、ＬＥＤ照明ユニットＡ１、Ａ２のＬＥＤ１の各列間巾方向における間隔Ｌ３と、隣接する両ＬＥＤ照明ユニットＡ１、Ａ２の最端に位置するＬＥＤ１の接合突きつけ方向における間隔Ｌ４と、を略合致させている。したがって、この場合も、連設される両照明器具Ｂ１、Ｂ２において、その連設継目部位を含め各ＬＥＤ１が相互に略等間隔に配設されることになり、同連設継目部位における明暗の違和感がなくなって長尺となる照明装置としての光むらが防止される。
【００３７】
また、この照明装置にあっては、一方の照明器具Ｂ２の端部において、その照明器具外殻体13の片側の側片部17の一部が欠如され、この欠如部位に他方の照明器具Ｂ１の開放された端部が突きつけ接合されて、両照明器具Ｂ１、Ｂ２は連設されている。この場合、前記一方の照明器具Ｂ２の欠如部位における照明器具外殻体13の中片部18の側縁に略半円状の切欠半孔21が形成され、他方の照明器具Ｂ１の端部における照明器具外殻体13の中片部18の端縁に略半円状の切欠半孔21が形成されており、両切欠半孔21が相互に突き合わされてなる円形孔に挿通される接続ネジ31によって、両照明器具Ｂ１、Ｂ２の端部同士は直交方向に接続固定されている。なお、それ以外については、上記実施形態の照明器具Ｂと同様に構成されており、上記同照明器具Ｂにおけると同様の作用効果が奏される。
【図面の簡単な説明】
【００３８】
【図１】本願発明の一実施形態である照明器具を示す断面図。
【図２】同照明器具が連設されてなる照明装置を示す（ａ）は正面図、（ｂ）は側面図。
【図３】同照明装置を示す分解斜視図。
【図４】同照明器具におけるＬＥＤ照明ユニットを示す断面図。
【図５】同ＬＥＤ照明ユニットの充填材を注入充填する前の状態を示す（ａ）は背面図、（ｂ）は正面図。
【図６】同ＬＥＤ照明ユニットの充填材を注入充填している状態を示す断面図。
【図７】本願発明の別の実施形態である照明器具を用いた照明装置を示す正面図。
【図８】従来例である照明器具を示す断面図。
【符号の説明】
【００３９】
１  ＬＥＤ
２  放熱体
３  基板
４  開口部
５  カバーケース
６  表面壁部
７  充填材
13  照明器具外殻体
17  側片部
18  中片部
Ｓ１  一方凹所
Ａ  ＬＥＤ照明ユニット
Ｂ  照明器具
【図１】
2005302484.tif 000003
【図２】
2005302484.tif 000004
【図３】
2005302484.tif 000005
【図４】
2005302484.tif 000006
【図５】
2005302484.tif 000007
【図６】
2005302484.tif 000008
【図７】
2005302484.tif 000009
【図８】
2005302484.tif 000010